(57)【要約】【課題】実用的で多機能の新しいタイプの分類要素を提供すること。【解決手段】文書その他のための分類要素は、少なくとも、一方で、この分類要素（１）がリング機構と協働することを可能にする取りつけ手段（３）、他方で、この分類要素（１）を懸垂分類システムに備えることを可能にする懸垂手段（６）を有することを特徴とする。【選択図】図１
2004034704.tif 000002
【特許請求の範囲】
【請求項１】
　文書その他のための分類要素であって、少なくとも、
　一方で、この分類要素（１）がリング機構と協働することを可能にする取りつけ手段（３）、
　他方で、この分類要素（１）を懸垂分類システムに備えることを可能にする懸垂手段（６）、を有することを特徴とする分類要素。
【請求項２】
　一つ以上のホルダー（１０〜１１）を有する本体（９）を有し、該ホルダーのタイプが、該ホルダー（１０〜１１）が文書（２）その他の折り曲げられた背表紙（１６）と協働することを可能にするようなものであることを特徴とする請求項１に記載の分類要素。
【請求項３】
　二つの前記ホルダー（１０〜１１）を有し、該ホルダーが、分類要素（１）の長さ方向に大部分平行に延びているフック形の要素（１２〜１３）から成り、該フック形の要素の自由端（１４〜１５）が互いに向かい合っていることを特徴とする請求項２に記載の分類要素。
【請求項４】
　前記取りつけ手段（３）が二つ以上の開口（１７）から成り、該開口がリング機構のリング（４）その他と協働することのできる通路を形成することを特徴とする請求項１から３の中のいずれか１つに記載の分類要素。
【請求項５】
　前記懸垂手段（６）が、分類要素（１）の各端近くに配置されたフック形部品（１８〜１９）から成ることを特徴とする請求項１から４の中のいずれか１つに記載の分類要素。
【請求項６】
　前記懸垂手段（６）が、少なくとも部分的に引っ込めることのできる部品（２０〜２１）の部分であることを特徴とする請求項１から５の中のいずれか１つに記載の分類要素。
【請求項７】
　懸垂手段（６）がその部分である部品（２０〜２１）が引っ込められたとき、該部品が、分類要素（１）の全長（Ｌ１）がその際前記ホルダー（１０〜１１）によって定められる長さ（Ｌ２）に等しいかまたはほとんど等しいような位置をとることを特徴とする請求項２と３のいずれかと請求項６とに記載の分類装置。
【請求項８】
　前記部品（２０〜２１）がこれらの間に延びる本体（９）に沿ってすべることができることを特徴とする請求項６または７に記載の分類要素。
【請求項９】
　懸垂手段（６）が取りはずしできる部品（２０〜２１）の部分であって、これらの取りはずしできる部品（２０〜２１）が取りはずされたとき、残っている部分が依然としてリング機構その他と協働することができる分類要素であるようになっていることを特徴とする請求項１から８の中のいずれか１つに記載の分類要素。
【請求項１０】
　前記部品（２０〜２１）が、前記取りつけ手段（３）を有する本体（９）の端上ですべることができる要素から成ることを特徴とする請求項９に記載の分類要素。
【請求項１１】
　前記本体（９）が固定手段（２２）を備えており、該手段が、前記部品（２０〜２１）が前記本体（９）に備えられたとき該部品（２０〜２１）が前記本体から自然にはずれることを防ぐことを特徴とする請求項１０に記載の分類要素。
【請求項１２】
　固定手段（２２）が弾性的に曲げられる部品（２３）から成り、該部品が、曲げによって、前記部品（２０〜２１）を本体（９）から取りはずすことを可能にすることを特徴とする請求項１１に記載の分類要素。
【請求項１３】
　主として、
　長さ方向に延びたラスの形の本体（９）、
　フック形要素（１２〜１３）から成る文書（２）のためのホルダー（１０〜１１）であって、該フック形要素が、前記ラスの各端に一体に備えてあり、該要素が分類要素（１）の長さ方向に大部分平行に延びており、該要素の自由端（１４〜１５）が互いに向かい合っているホルダー（１０〜１１）、
　本体（９）の各端に備えられた部品（２０〜２１）であって、前記本体（９）から延びだしており、その自由端に懸垂手段（６）として機能しうるフック形部品（１８〜１９）を備えている部品（２０〜２１）、
から成ることを特徴とする請求項１から１２の中のいずれか１つに記載の分類要素。
【請求項１４】
　前記本体（９）が形材ラスから成り、前記延びだしている部品（２０〜２１）が形材本体（９）にぴったりはめあわされることを特徴とする請求項１３に記載の分類要素。
【発明の詳細な説明】
【技術分野】
【０００１】
　本発明は、文書その他のための分類要素に関する。
【０００２】
　特に、本発明は、文書その他を取りつけることのできる分類要素または文書その他が取りつけられる分類要素であって、たとえば、そのような文書その他が該分類要素によって他の文書に対して分類できる分類要素に関する。
【背景技術】
【０００３】
　分類要素は、すでにいろいろな形と寸法のものが存在する。
【０００４】
　たとえば、分類要素としては、文書を取りつけることができ、二つの端にフック形の部品を備えていて、文書を該分類要素によって二つのレールその他の間に懸垂させることかできるようになっているものが公知である。
【０００５】
　また他の分類要素として、文書を取りつけることができ、該文書を該分類要素によってリングファイルその他に整然としたやり方で分類できるようにするものも公知である。
【発明の開示】
【発明が解決しようとする課題】
【０００６】
　本発明は、実用的で多機能の新しいタイプの分類要素を提供することを目的とする。
【課題を解決するための手段】
【０００７】
　この目的のために、本発明は、
　文書その他のための分類要素であって、少なくとも、
　一方で、この分類要素がリング機構と協働することを可能にする取りつけ手段、
　他方で、この分類要素を懸垂分類システムに備えることを可能にする懸垂手段、
を有することを特徴とする分類要素、
に関する。
【発明の効果】
【０００８】
　前記二つの手段を単一の分類要素内に統合することによって、多機能の分類要素が与えられるという利点が得られ、使用者は、文書の分類のために、該分類要素を、リング機構を有するファイルその他または懸垂分類システムで使用することを自由に選択することができる。また、本発明の分類要素は、たとえば、通常は懸垂分類システムで分類される文書を、使用時に、該文書に孔を開けたり他のタイプの分類要素を取りつけたりする必要なしで、一時的にリングファイルその他に簡単に綴じこむことができるという利点をも与える。
【０００９】
　さらに、本発明は、リングファイルと懸垂分類システムとの両方を使用する使用者が単一タイプの分類要素を入手するだけでよいという利点をも与える。このとき使用者はこの分類要素を所望の形で使用することができる。
【００１０】
　さらに、製造者は二つの市場に商品を届けるために単一タイプの分類要素だけを製造すればよい。
【００１１】
　本発明が特に有用なのは、この分類要素が、一つ以上のホルダーを有する本体から成り、該ホルダーのタイプが、該ホルダーが文書その他の折り曲げられた背表紙と協働することを可能にし、そのような文書（たとえば雑誌とすることができる）をその折曲げられた背表紙によって該ホルダーにかけることができるようにするようなものである場合である。
【００１２】
　しかし、注意すべきことは、本発明はそのようなタイプの分類要素のみに限定されるものではなく、また原理的には、文書を取りつけることのできるすべての分類要素に適用できるということである。また、文書という概念はそのもっとも広い意味に解釈すべきである。そのような文書は、一枚の紙、紙の束たとえば雑誌、あるいはまた紙その他を保管することのできるファイルその他、であることができる。
【００１３】
　前記取りつけ手段は、好ましくは、リング機構その他のリングと協働することのできる通路を形成する二つ以上の開口から成る。
【００１４】
　前記懸垂手段は、好ましくは、分類要素の各自由端の近くに配置されたフック形の部品から成る。
【００１５】
　本発明の特に重要な好ましい特性は、懸垂手段が、少なくとも部分的に引っ込めることのできる部品の部分であるということである。ここでは、引っ込めることができるというのは、伸縮自在、折りたたむことができる、あるいは、その他の実施形態を意味するものとする。ただし、その他の実施形態というのは、前二者と同様に、これらの懸垂手段を、一方で該手段がはっきりと突き出た使用位置に配置することができ、他方で、該手段がより内側に配置された前記使用位置とは異なる位置に配置することのできるようなものである。
【００１６】
　引っ込めることのできる部品は、引っ込められたとき、好ましくは、分類要素の全長が、前記ホルダーによって定められる長さに等しいかまたはほとんど等しくなる位置をとり、この引っ込められた位置において、分類要素に無駄に突き出た部品がないようになっている。
【００１７】
　そのような引っ込めることのできる部品または領域を使用することにより、この分類要素はいつでも必要用途に対して最適に調節することができる。
【００１８】
　もう一つの特別な特徴として、この懸垂手段は可動部品の一部であり、これらの可動部品が取りはずされたとき、残りの部分が、依然としてリングシステムその他と協働できる分類要素であるようになっている。
【００１９】
　これにより、この分類要素がリングファイルで使用されるとき、該分類要素の全厚が、前記部品の除去により固有の最小値まで減少し、リングファイルその他に文書を保管するための有効スペースが通常は割合に厚い懸垂部品による有害な影響を受けない、という利点が得られる。
【００２０】
　これはまた、単一の製品を三つのグループの使用者が最適使用できるという利点をも与える。まず、懸垂システムのみを使用する使用者と二つのシステムを両方とも使用する使用者とが考えられる。これらの使用者には、前記懸垂手段を備えた分類要素を販売促進することができる。さらに、分類システムをもっぱらリングファイルその他とともに使用することを望む使用者もあり、そのような使用者に対しては、懸垂手段を有する部品を有しない分類要素を販売促進することができる。
【００２１】
　もっとも好ましい実施態様によれば、懸垂手段を有する前記部品は、動かすことができ、特に引っ込めることができ、また除去および／または取りはずしすることができて、各利点のすべてが組合わされるようにすることができる。
【発明を実施するための最良の形態】
【００２２】
　以下、本発明の特徴をさらに十分に説明するために、添付の図面を参照しつつ、好ましい実施形態について述べる。この実施形態は単なる例であり、どのような意味でも本発明を限定するものではない。
【００２３】
　図１〜７に示すように、本発明は文書２と協働することのできる分類要素１に関する。この分類要素１は、少なくとも、一方で、この分類要素１がリング機構たとえば図８に示すようなリングファイル５のリング４と協働することを可能にする取りつけ手段３を有し、また他方で、この分類要素１を懸垂分類システム特にたとえば図９に示すようなものに二つの懸垂レール７〜８に懸垂させて備えることを可能にする懸垂手段６を有する。
【００２４】
　分類要素１は、長さ方向に延びる本体９を有し、該本体９は、ここに示す例の場合、Ｉ形の形材から成る。
【００２５】
　本体９は、その各端にホルダー１０〜１１を備え、該ホルダー１０〜１１は、好ましくは、図に示すように、フック形の要素１２〜１３から成り、該要素は、分類要素１の長さ方向に大部分平行に延びており、また該要素の自由端１４〜１５は互いに向かい合っている。特に、ここに示すホルダー１０〜１１のタイプは、該ホルダー１０〜１１が文書２その他この場合図２に模式的に示す雑誌の折り曲げられた背表紙１６と協働することができるようにするものである。これらのホルダー１０〜１１は、図に示すように、本体９と一体に作ることができる。
【００２６】
　前記取りつけ手段３は、本体９内の二つ以上の開口１７から成り、該開口１７は、リング機構その他のリング４と協働することのできる通路を形成する。
【００２７】
　前記懸垂手段６は、分類要素１の各端近く配置されたフック形の部品１８〜１９から成り、該部品１８〜１９は、本体９に対して、少なくとも部分的にそれぞれ引込めまたは伸長することのできる、ここで示す例では部品２０〜２１の部分である。この場合、これらの部品２０〜２１は、該部品が引っ込められたとき、分類要素１の全長Ｌ１が前記ホルダー１０〜１１によって定められる長さＬ２に等しいかまたはほとんど等しいような、言い換えると、全長Ｌ１が前記ホルダー１０〜１１の外端から外端までの長さに等しいかまたはほとんど等しいような、図１に示す位置をとるように、また一方、伸長位置では、フック形部品１８〜１９が図３に示すようにもっと外側に配置されるように、すべることができる。
【００２８】
　この例では、フック形部品１８〜１９すなわちすなわち懸垂手段６を有する部品２０〜２１は、取りはずすことができるように、言い換えると、本体９から取りはずしてまた本体９に戻すことができるように、作られる。ここでは、全体を、前記取りはずしできる部品２０〜２１が取りはずされたとき、残るものが、依然としてリング機構その他と協働することのできる分類要素１であるように、設計してある。
【００２９】
　部品２０〜２１を本体９に備えることができ、またこれらを個別に該本体から取りはずすことができるように、これらの部品２０〜２１は、図２〜７から明らかなように該部品が本体９上で移動できるように作る。
【００３０】
　本体９には、固定手段２２が備えられ、該固定手段は、前記手段２０〜２１が本体９に備えられたとき、該手段２０〜２１が自然に本体９からはずれるのを防ぐ。これらの固定手段２２は、弾性的に曲げられる部品２３から成り、該部品は、静止の場合、図６に示すように、外向きに湾曲した位置をとり、したがってそれぞれの部品２０〜２１に対する止めとなる。しかし明らかに、これらの部品２３を本体９の心材２４の表面まで曲げることによって、前記部品２０〜２１がふたたび本体９から取りはずせるようになる。やはり明らかなように、部品２０〜２１が本体９に備えられるとき、部品２３は自動的に心材２４の表面に押しつけられ、したがって前記固定手段は取りつけを妨害しない。
【００３１】
　ここに示す例の場合、部品２０〜２１はＴ形断面の通路２５を有し、したがってこれらの部品は本体９の最上部水平フランジ２６上をすべることができる。当然のことながら、部品２０〜２１は、他のやり方ですべることができるように、本体９に備えることができる。
【００３２】
　分類要素１の操作と使用法は、ここに示す図から容易に理解することができるであろう。
【００３３】
　図１と２において、部品２０〜２１がすべりによって引っ込められると、分類要素１は、リングファイル５その他に文書２を保管するために使用するのに最善の配置になる。この保管は、フック形要素１２〜１３に文書２を取りつけ、本体９を適当な開口１７によってリング４に配置して、該文書が分類要素１によってリングファイル５に取りつけられるようにすることによってなされる。
【００３４】
　図３と４〜６に示すように、部品２０〜２１を完全に伸長させることにより、図９に示すように、文書２を懸垂分類システムに懸垂させることができる状態が作り出される。
【００３５】
　部品２３を、これらが心材２４と同一の平面に配置されるまで、押込むことにより、図７に示すように、本体１の部品２０〜２１を取りはずすことができる。明らかに、この操作のあとの分類要素１は依然としてリングファイル５その他で文書を分類するのに使用することができるが、分類要素１の全厚は部品２０〜２１が本体９上に残っている場合よりも小さくなる。
【００３６】
　明らかに、いくつかの変形が可能である。たとえば、全体の伸縮自在性は必ずしもすべりによって与える必要はなく、たとえば部品２０〜２１の回転、折りたたみの使用によっても与えることができる。
【００３７】
　また、これらの部品２０〜２１は、必ずしも着脱自在および／または伸縮自在である必要はない。本発明によれば、一体に作られた固定構造も可能であり、それをリングファイルでも懸垂分類システムでも使用することができる。
【００３８】
　分類要素１には、二つのホルダー１０〜１１の代りに、文書を取りつける他の手段を備えることもできる。たとえば、フック形要素１２〜１３を、本体９に平行に延びる単一の連続要素で置き換えることができる。また、たとえば、‘文書’がそのままでファイルたとえば懸垂ファイルを構成する場合、この分類要素１を文書と一体で具体化することも排除されない。
【００３９】
　本発明は、上で例として説明し添付の図面に示した実施形態に決して限定されるものではなく、反対に、文書その他のための本発明の分類要素は、本発明の範囲内にとどまる限り、あらゆる種類の形状と寸法で作ることができる。
【図面の簡単な説明】
【００４０】
【図１】本発明による分類要素を示す斜視図である。
【図２】図１の矢印Ｆ２の向きに見た拡大図である。
【図３】別の使用状態の図１の分類要素を模式的な文書とともに示す。
【図４】図３の矢印Ｆ４の向きに見た拡大図である。
【図５】図４の線Ｖ−Ｖに沿う断面の拡大図である。
【図６】図４の線ＶＩ−ＶＩに沿う断面の拡大図である。
【図７】図４と同様の図であるが、分解図である。
【図８】図１〜７に示す分類要素のある使用法を示す。
【図９】図１〜７に示す分類要素の別の使用法を示す。
【符号の説明】
【００４１】
　１　分類要素
　２　文書
　３　取りつけ手段
　４　リング
　５　リングファイル
　６　懸垂手段
　７　レール
　８　レール
　９　本体
１０　ホルダー
　１１　ホルダー
　１２　フック形の要素
　１３　フック形の要素
　１４　１２の自由端
　１５　１３の自由端
　１６　背表紙
　１７　開口
　１８　フック形部品
　１９　フック形部品
　２０　取りはずしできる部品
　２１　取りはずしできる部品
　２２　固定手段
　２３　弾性的に曲げられる部品
　２４　心材
　２５　通路
　２６　水平フランジ
　Ｌ１　１の全長
　Ｌ２　ホルダー１０〜１１によって定められる長さ
【図１】
2004034704.tif 000003
【図２】
2004034704.tif 000004
【図３】
2004034704.tif 000005
【図４】
2004034704.tif 000006
【図５】
2004034704.tif 000007
【図６】
2004034704.tif 000008
【図７】
2004034704.tif 000009
【図８】
2004034704.tif 000010
【図９】
2004034704.tif 000011
【外国語明細書】
2004034704.tif 000012
2004034704.tif 000013
2004034704.tif 000014
2004034704.tif 000015
2004034704.tif 000016
2004034704.tif 000017
2004034704.tif 000018
2004034704.tif 000019
2004034704.tif 000020
2004034704.tif 000021
2004034704.tif 000022
2004034704.tif 000023
2004034704.tif 000024
2004034704.tif 000025
2004034704.tif 000026
2004034704.tif 000027
2004034704.tif 000028
2004034704.tif 000029